(57)【要約】【課題】発光素子を複数個備えることなくユーザが送信方向を手動で変化させる煩わしさが解消されるリモコンを提供する。【解決手段】リモコン２１は、赤外線を射出する赤外ＬＥＤ２１ｄを１つと、赤外ＬＥＤ２１ｄから射出された赤外線を反射してその赤外線の進行方向を変化させる２つの反射鏡２１ｅ、２１ｆとを備え、１度のキー操作に伴って赤外ＬＥＤ２１ｄから赤外線を複数回射出させつつ、赤外線が射出される都度、反射鏡２１ｅ、２１ｆ自体を所定の角度となるように変化させる。これにより、リモコン２１からは１度のキー操作で、リモコン２１の幅方向に異なった角度となる矢印Ａに示す複数の方向へ、およびリモコン２１の厚み方向に異なった角度となる矢印Ｂに示す複数の方向へ赤外線信号が送信されるので、リモコン２１とリモコン受信部１７との間に障害物等がある場合でも、周辺の壁や家具等から反射される赤外線信号を利用して正しく受信できる。【選択図】図３
2008258751.tif 000002
【特許請求の範囲】
【請求項１】
電気機器を遠隔操作するためにユーザによって各種キーが操作され、同操作に応じた赤外線信号をリモコン受信部へ送信するリモコンにおいて、
上記リモコンは、
上記赤外線信号を送信するための光源として赤外線を射出する赤外ＬＥＤを１つのみ備えると共に、
上記赤外ＬＥＤから射出された赤外線を反射して同赤外線の進行方向を変化させる２つの反射鏡を備え、
上記２つの反射鏡は、
上記赤外線の進行方向に対してそれぞれ直交した異なる回転軸に沿って配置される両面平面鏡であって、
一方の反射鏡は、
上記リモコンの厚み方向に平行な回転軸を有し、同回転軸が回転駆動させられることにより同一方の反射鏡自体の角度が変化させられて、上記赤外線を上記リモコンの幅方向に異なった角度となる複数の方向へ反射し、
他方の反射鏡は、
上記リモコンの幅方向に平行な回転軸を有し、同回転軸が回転駆動させられることにより同他方の反射鏡自体の角度が変化させられて、上記赤外線を上記リモコンの厚み方向に異なった角度となる複数の方向へ反射するように構成されており、
１度のキー操作に伴って上記赤外ＬＥＤから赤外線を複数回射出させると共に、同赤外線が射出される都度、上記２つの反射鏡自体を所定の角度となるように変化させて同赤外線が射出される方向を変化させることにより、１度のキー操作で複数の方向へ上記赤外線信号を送信する一方で、
上記赤外線信号は、
上記１度のキー操作が単発キー操作か連続キー操作かを区別するための信号を含むものであり、
１度の単発キー操作の場合には実際のデータ部分としてのデータパルスの前に単発キー操作を示すヘッドパルスを設けた上記赤外線信号を送信すると共に、
１度の連続キー操作の場合には実際のデータ部分としてのデータパルスの前に連続キー操作を示すヘッドパルスを設け、同ヘッドパルスに続いて上記データパルスを繰り返し設けた上記赤外線信号を送信することを特徴とするリモコン。
【請求項２】
ユーザによる操作に応じた赤外線信号を送信するリモコンにおいて、
上記リモコンの光源として赤外線を射出する発光素子を１つのみ備えると共に、
上記発光素子から射出された赤外線の進行方向を変化させる角度調節機構を備え、
１度のリモコン操作に伴って上記発光素子から赤外線を複数回射出させると共に、同赤外線が射出される都度、上記角度調節機構を所定の角度となるように変化させて同赤外線が射出される方向を変化させることにより、１度のリモコン操作で複数の方向へ上記赤外線信号を送信することを特徴とするリモコン。
【請求項３】
上記角度調節機構は、
上記受光素子自体の角度を変化させることにより上記赤外線が射出される方向を変化させることを特徴とする請求項２に記載のリモコン。
【請求項４】
上記角度調節機構は、
上記発光素子から射出された赤外線を反射して同赤外線の進行方向を変化させる複数の反射鏡を備え、
上記複数の反射鏡自体を所定の角度となるように変化させることにより上記赤外線が射出される方向を変化させることを特徴とする請求項２に記載のリモコン。
【請求項５】
上記複数の反射鏡は、
上記赤外線の進行方向に対してそれぞれ直交した異なる回転軸に沿って配置される２つの両面平面鏡であって、
一方の反射鏡は、
上記リモコンの厚み方向に平行な回転軸を有し、同回転軸が回転駆動させられることにより同一方の反射鏡自体の角度が変化させられて、上記赤外線を上記リモコンの幅方向に異なった角度となる複数の方向へ反射し、
他方の反射鏡は、
上記リモコンの幅方向に平行な回転軸を有し、同回転軸が回転駆動させられることにより同他方の反射鏡自体の角度が変化させられて、上記赤外線を上記リモコンの厚み方向に異なった角度となる複数の方向へ反射するように構成されていることを特徴とする請求項４に記載のリモコン。
【請求項６】
上記発光素子と上記一方の反射鏡との間に同発光素子から射出される赤外線を集束するための凸レンズと、
上記他方の反射鏡により反射された上記赤外線を拡散するための凹レンズとを更に備えるように構成されていることを特徴とする請求項５に記載のリモコン。
【請求項７】
上記赤外線信号は、
上記１度の操作が単発操作か連続操作かを区別するための信号を含むことを特徴とする請求項２乃至６の何れかに記載のリモコン。
【請求項８】
１度の単発操作の場合には実際のデータ部分としてのデータパルスの前に単発操作を示すヘッドパルスを設けた上記赤外線信号を送信する機能を有することを特徴とする請求項７に記載のリモコン。
【請求項９】
１度の連続操作の場合には実際のデータ部分としてのデータパルスの前に連続操作を示すヘッドパルスを設けると共に、同ヘッドパルスに続いて上記データパルスを繰り返し設けた上記赤外線信号を送信する機能を有することを特徴とする請求項７または８に記載のリモコン。
【請求項１０】
１度の連続操作の場合には実際のデータ部分としてのデータパルスの前に連続操作を示すパルスをヘッドパルスとして設けると共に、同ヘッドパルスに続いて上記データパルスを１つのみ入れ、同データパルスに続いて上記連続操作を示すパルスを繰り返し設けた上記赤外線信号を送信する機能を有することを特徴とする請求項７または８に記載のリモコン。
【発明の詳細な説明】
【技術分野】
【０００１】
本発明は、赤外線信号を送信するリモコンに関するものである。
【背景技術】
【０００２】
ユーザによる操作に応じた赤外線信号を送信するリモコンがよく知られている。このようなリモコンは、例えばテレビジョン装置、映像出力機器、空調機器などの電気機器をリモートコントロール（遠隔操作）するためのものであり、リモコンの光源として赤外線を射出する発光素子を備え、電気機器に備えられた受信部（受光部）に対して赤外線信号を送信する。このとき、発光素子の指向性や取付角度などにより、リモコンの操作場所や設置場所から電気機器に対して赤外線信号が到達しないという問題が生じることがある。
【０００３】
このような問題に対して特許文献１には、リモコンに送信方向を変えた複数個の発光素子を設け、それら発光素子を操作場所、設置場所により切り替え可能な選択スイッチにて最も送受信が安定する発光素子を選択することが開示されている。
【０００４】
また、特許文献２には、リモコン用光源として複数の発光ダイオードを備えるリモコン送信機が開示されている。
【０００５】
また、特許文献３には、前方を指向したＬＥＤと斜め上方を指向したＬＥＤとを設置し、複数の発光体を指向方向を異ならせて設けることが開示されている。
【０００６】
また、特許文献４には、赤外線リモコン送信機において、赤外線信号を送信する赤外線発光素子をスイッチ操作部を間に挟んで２箇所に備え、これらの赤外線発光素子を各々異なる方向に赤外線信号を照射する方向に向けたことが開示されている。
【０００７】
また、特許文献５には、赤外線を利用する通信において、それぞれ異なる方向に向けて配置された赤外線を発光する複数の発光素子と、その赤外線を受光する受光素子とを備え、発光素子を順次発光させ通信が確立できるまで切り替えることにより通信を行うことが開示されている。
【特許文献１】特開２００６−３３２９３９号公報
【特許文献２】特開２００５−１５１４９６号公報
【特許文献３】特開２００５−６４６５２号公報
【特許文献４】特開２００４−２１５２１１号公報
【特許文献５】特開２００１−３５２２９６号公報
【発明の開示】
【発明が解決しようとする課題】
【０００８】
ところで、受信部がリモコンから見て隠れた状態にあるときには、例えば映像出力機器のようにテレビジョン装置等を載せた設置台に収納されて受信部がリモコンからの赤外線信号を直接的に受信できない状態にあるときには、通常、ユーザは受信部が明らかになる位置にリモコンを移動させる必要が出てくる。このようなユーザが送信方向を手動で変化させる煩わしさは、仮に上記特許文献１〜５に示されるように複数の発光素子を備えて赤外線信号を複数の方向に射出することができるリモコンであっても、射出される方向が予め決められている（限定されている）ことから、リモコンの移動範囲が狭まるにせよ上記同様に生じる可能性があった。
【０００９】
本発明は上記課題に鑑みて為されたもので、その目的とするところは、発光素子を複数個備えることなくユーザが送信方向を手動で変化させる煩わしさが解消されるリモコンを提供することにある。
【課題を解決するための手段】
【００１０】
上記目的を達成するための請求項１に記載の発明は、電気機器を遠隔操作するためにユーザによって各種キーが操作され、同操作に応じた赤外線信号をリモコン受信部へ送信するリモコンにおいて、上記リモコンは、上記赤外線信号を送信するための光源として赤外線を射出する赤外ＬＥＤを１つのみ備えると共に、上記赤外ＬＥＤから射出された赤外線を反射して同赤外線の進行方向を変化させる２つの反射鏡を備え、上記２つの反射鏡は、上記赤外線の進行方向に対してそれぞれ直交した異なる回転軸に沿って配置される両面平面鏡であって、一方の反射鏡は、上記リモコンの厚み方向に平行な回転軸を有し、同回転軸が回転駆動させられることにより同一方の反射鏡自体の角度が変化させられて、上記赤外線を上記リモコンの幅方向に異なった角度となる複数の方向へ反射し、他方の反射鏡は、上記リモコンの幅方向に平行な回転軸を有し、同回転軸が回転駆動させられることにより同他方の反射鏡自体の角度が変化させられて、上記赤外線を上記リモコンの厚み方向に異なった角度となる複数の方向へ反射するように構成されており、１度のキー操作に伴って上記赤外ＬＥＤから赤外線を複数回射出させると共に、同赤外線が射出される都度、上記２つの反射鏡自体を所定の角度となるように変化させて同赤外線が射出される方向を変化させることにより、１度のキー操作で複数の方向へ上記赤外線信号を送信する一方で、上記赤外線信号は、上記１度のキー操作が単発キー操作か連続キー操作かを区別するための信号を含むものであり、１度の単発キー操作の場合には実際のデータ部分としてのデータパルスの前に単発キー操作を示すヘッドパルスを設けた上記赤外線信号を送信すると共に、１度の連続キー操作の場合には実際のデータ部分としてのデータパルスの前に連続キー操作を示すヘッドパルスを設け、同ヘッドパルスに続いて上記データパルスを繰り返し設けた上記赤外線信号を送信することにある。
【００１１】
上記のように構成された本発明のリモコンにおいて、１度のキー操作に伴って赤外ＬＥＤから赤外線を複数回射出させると共に、その赤外線が射出される都度、２つの反射鏡自体を所定の角度となるように変化させるので、赤外ＬＥＤから射出された複数の赤外線は、先ず一方の反射鏡によりリモコンの幅方向に異なった角度となる複数の方向へ進行させられ、次いで他方の反射鏡によりリモコンの厚み方向に異なった角度となる複数の方向へ進行させられて赤外線が射出される方向が変化させられる。これにより、リモコンからは１度のキー操作で、リモコンの幅方向に異なった角度となる複数の方向へ、およびリモコンの厚み方向に異なった角度となる複数の方向へ赤外線信号が送信される。こうすることで、リモコンとリモコン受信部との間に障害物等がある場合でも、周辺の壁や家具等から反射される赤外線信号を利用して正しく受信できる可能性が高くなる。一方で、上記赤外線信号は、上記１度のキー操作が単発キー操作か連続キー操作かを区別するための信号を含むので、１度の操作で赤外ＬＥＤから赤外線を複数回射出させた場合であっても単発キー操作か連続キー操作と認識することが可能になる。
【００１２】
また、前記目的を達成するための請求項２に記載の発明は、ユーザによる操作に応じた赤外線信号を送信するリモコンにおいて、上記リモコンの光源として赤外線を射出する発光素子を１つのみ備えると共に、上記発光素子から射出された赤外線の進行方向を変化させる角度調節機構を備え、１度のリモコン操作に伴って上記発光素子から赤外線を複数回射出させると共に、同赤外線が射出される都度、上記角度調節機構を所定の角度となるように変化させて同赤外線が射出される方向を変化させることにより、１度のリモコン操作で複数の方向へ上記赤外線信号を送信することにある。
【００１３】
上記のように構成された本発明のリモコンにおいて、１度のリモコン操作に伴って上記発光素子から赤外線を複数回射出させると共に、同赤外線が射出される都度、上記角度調節機構を所定の角度となるように変化させて同赤外線が射出される方向を変化させることにより１度のリモコン操作で複数の方向へ上記赤外線信号が送信されるので、リモコンと赤外線信号を受信する受信部との間に障害物等がある場合でも、周辺の壁や家具等から反射される赤外線信号を利用して正しく受信できる可能性が高くなる。
【００１４】
また、請求項３に記載の発明は、請求項２に記載のリモコンにおいて、上記角度調節機構は、上記受光素子自体の角度を変化させることにより上記赤外線が射出される方向を変化させることにある。
【００１５】
上記のように構成された請求項２に記載のリモコンにおいて、上記受光素子自体の角度を変化させることにより上記赤外線が射出される方向が変化させられるので、１度の操作で複数の方向へ赤外線信号を簡単に送信することが可能になる。
【００１６】
また、請求項４に記載の発明は、請求項２に記載のリモコンにおいて、上記角度調節機構は、上記発光素子から射出された赤外線を反射して同赤外線の進行方向を変化させる複数の反射鏡を備え、上記複数の反射鏡自体を所定の角度となるように変化させることにより上記赤外線が射出される方向を変化させることにある。
【００１７】
上記のように構成された請求項２に記載のリモコンにおいて、上記発光素子から射出された赤外線を反射して同赤外線の進行方向を変化させる複数の反射鏡自体を所定の角度となるように変化させることにより上記赤外線が射出される方向が変化させられるので、１度の操作で複数の方向へ赤外線信号を簡単に送信することが可能になる。
【００１８】
また、請求項５に記載の発明は、請求項４に記載のリモコンにおいて、上記複数の反射鏡は、上記赤外線の進行方向に対してそれぞれ直交した異なる回転軸に沿って配置される２つの両面平面鏡であって、一方の反射鏡は、上記リモコンの厚み方向に平行な回転軸を有し、同回転軸が回転駆動させられることにより同一方の反射鏡自体の角度が変化させられて、上記赤外線を上記リモコンの幅方向に異なった角度となる複数の方向へ反射し、他方の反射鏡は、上記リモコンの幅方向に平行な回転軸を有し、同回転軸が回転駆動させられることにより同他方の反射鏡自体の角度が変化させられて、上記赤外線を上記リモコンの厚み方向に異なった角度となる複数の方向へ反射するように構成されていることにある。
【００１９】
上記のように構成された請求項４に記載のリモコンにおいて、２つの反射鏡自体を所定の角度となるように変化させるので、発光素子から射出された複数の赤外線は、先ず一方の反射鏡によりリモコンの幅方向に異なった角度となる複数の方向へ進行させられ、次いで他方の反射鏡によりリモコンの厚み方向に異なった角度となる複数の方向へ進行させられて赤外線が射出される方向が変化させられる。これにより、リモコンからは１度の操作で、リモコンの幅方向に異なった角度となる複数の方向へ、およびリモコンの厚み方向に異なった角度となる複数の方向へ赤外線信号が送信される。
【００２０】
また、請求項６に記載の発明は、請求項５に記載のリモコンにおいて、上記発光素子と上記一方の反射鏡との間に同発光素子から射出される赤外線を集束するための凸レンズと、上記他方の反射鏡により反射された上記赤外線を拡散するための凹レンズとを更に備えるように構成されていることにある。
【００２１】
上記のように構成された請求項５に記載のリモコンにおいて、上記発光素子と上記一方の反射鏡との間に同発光素子から射出される赤外線を集束するための凸レンズと、上記他方の反射鏡により反射された上記赤外線を拡散するための凹レンズとが更に備えられているので、リモコンからは１度のキー操作でより広範囲の複数の方向へより強い赤外線信号が送信される。
【００２２】
また、請求項７に記載の発明は、請求項２乃至６の何れかに記載のリモコンにおいて、上記赤外線信号は、上記１度の操作が単発操作か連続操作かを区別するための信号を含むことにある。
【００２３】
上記のように構成された請求項２乃至６の何れかに記載のリモコンにおいて、上記赤外線信号は上記１度の操作が単発操作か連続操作かを区別するための信号を含むので、１度の操作で上記発光素子から赤外線を複数回射出させた場合であっても単発操作或いは連続操作と認識することが可能になる。
【００２４】
また、請求項８に記載の発明は、請求項７に記載のリモコンにおいて、１度の単発操作の場合には実際のデータ部分としてのデータパルスの前に単発操作を示すヘッドパルスを設けた上記赤外線信号を送信する機能を有することにある。
【００２５】
上記のように構成された請求項７に記載のリモコンにおいて、１度の単発操作の場合には実際のデータ部分としてのデータパルスの前に単発操作を示すヘッドパルスを設けた上記赤外線信号を送信する機能を有するので、１度の操作で上記発光素子から赤外線を複数回射出させた場合であっても単発操作と認識することが容易になる。
【００２６】
また、請求項９に記載の発明は、請求項７または８に記載のリモコンにおいて、１度の連続操作の場合には実際のデータ部分としてのデータパルスの前に連続操作を示すヘッドパルスを設けると共に、同ヘッドパルスに続いて上記データパルスを繰り返し設けた上記赤外線信号を送信する機能を有することにある。
【００２７】
上記のように構成された請求項７または８に記載のリモコンにおいて、１度の連続操作の場合には実際のデータ部分としてのデータパルスの前に連続操作を示すヘッドパルスを設けると共に、同ヘッドパルスに続いて上記データパルスを繰り返し設けた上記赤外線信号を送信する機能を有するので、連続操作と認識することが容易になる。
【００２８】
また、請求項１０に記載の発明は、請求項７または８に記載のリモコンにおいて、１度の連続操作の場合には実際のデータ部分としてのデータパルスの前に連続操作を示すパルスをヘッドパルスとして設けると共に、同ヘッドパルスに続いて上記データパルスを１つのみ入れ、同データパルスに続いて上記連続操作を示すパルスを繰り返し設けた上記赤外線信号を送信する機能を有することにある。
【００２９】
上記のように構成された請求項７または８に記載のリモコンにおいて、１度の連続操作の場合には実際のデータ部分としてのデータパルスの前に連続操作を示すパルスをヘッドパルスとして設けると共に、同ヘッドパルスに続いて上記データパルスを１つのみ入れ、同データパルスに続いて上記連続操作を示すパルスを繰り返し設けた上記赤外線信号を送信する機能を有するので、連続操作と認識することが容易になる。
【発明の効果】
【００３０】
以上説明したように、請求項１に記載の発明によれば、リモコンとリモコン受信部との間に障害物等がある場合であっても、周辺の壁や家具等から反射された赤外線信号がリモコン受信部に入る可能性が高くなり、リモコンに赤外ＬＥＤを複数個備えることなくユーザが送信方向を手動で変化させる煩わしさが解消される。また、２つの反射鏡を備えることで、１度の操作で複数の方向へ赤外線信号を簡単に送信することができる。また、１度のキー操作で赤外ＬＥＤから赤外線を複数回射出させた場合にリモコン受信部側において１度の単発キー操作に対して複数回のキー操作が行われたと認識されてしまうことが回避されたり、或いは、１度の連続キー操作に対して連続キー操作が有効にならない不具合が生じることが回避される。
【００３１】
また、請求項２に記載の発明によれば、リモコンと赤外線信号を受信する受信部との間に障害物等がある場合であっても、周辺の壁や家具等から反射された赤外線信号が受信部に入る可能性が高くなり、リモコンに発光素子を複数個備えることなくユーザが送信方向を手動で変化させる煩わしさが解消される。
【００３２】
また、請求項３に記載の発明によれば、１度の操作で複数の方向へ赤外線信号を簡単に送信することができる。
【００３３】
また、請求項４に記載の発明によれば、１度の操作で複数の方向へ赤外線信号を簡単に送信することができる。
【００３４】
また、請求項５に記載の発明によれば、１度の操作で、リモコンの幅方向に異なった角度となる複数の方向へ、およびリモコンの厚み方向に異なった角度となる複数の方向へ赤外線信号を簡単に送信することができる。
【００３５】
また、請求項６に記載の発明によれば、リモコンからは１度のキー操作でより広範囲の複数の方向へより強い赤外線信号が送信されるので、赤外線信号を正しく受信できる可能性がより高くなる。
【００３６】
また、請求項７に記載の発明によれば、１度の操作で上記発光素子から赤外線を複数回射出させた場合に受信部側において複数回操作されたと認識されてしまうことが回避される。或いは、リモコン操作が連続操作である場合に、その連続操作が有効にならないなどの不具合が生じることが回避される。
【００３７】
また、請求項８に記載の発明によれば、１度の単発操作で上記発光素子から赤外線を複数回射出させた場合に受信部側において複数回操作されたと認識されてしまうことが容易に回避される。
【００３８】
また、請求項９に記載の発明によれば、リモコン操作が１度の連続操作である場合にその連続操作が有効にならないなどの不具合が生じることが容易に回避される。
【００３９】
また、請求項１０に記載の発明によれば、リモコン操作が１度の連続操作である場合にその連続操作が有効にならないなどの不具合が生じることが容易に回避される。
【発明を実施するための最良の形態】
【００４０】
以下、下記の項目に従って本発明の実施形態を図面を参照しつつ説明する。
（１）液晶テレビジョン装置の構成
（２）リモコンの具体的な構成
（３）赤外線の進行方向を変化させる他の方法
（４）まとめ
【００４１】
（１）液晶テレビジョン装置の構成
図１は、本発明が適用される電気機器としての液晶テレビジョン装置１０の構成を説明するブロック図である。図１において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９とを備えている。
【００４２】
チューナ１１は、例えばアンテナ２０と接続されており、マイコン１８から入力される制御信号に従って、アンテナ２０で受信されるテレビジョン放送信号の中から１つのチャンネル（例えばユーザによって選局されたチャンネル）に対応するテレビジョン放送信号を取得してフロントエンド１２に出力する。
【００４３】
フロントエンド１２は、例えばマイコン１８から入力される制御信号に従って、チューナ１１から出力されたテレビジョン放送信号を中間周波信号に変換して、デコーダ１３に出力する。
【００４４】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と画像信号とに分離してデコードする。そして、そのデコードした音声信号を音声出力部１５へ出力するとともに、画像信号を画像表示部１６へ出力する。
【００４５】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される画像信号に合成する。
【００４６】
音声出力部１５は、例えば音声出力アンプＩＣ（Ｄ−ＡＭＰ）１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
【００４７】
画像表示部１６は、例えばパネル駆動回路１６ａや液晶パネル１６ｂなどを有し、デコーダ１３から出力された画像信号に基づく画像データに応じた画像や、デコーダ１３から出力されてＯＳＤ回路１４によりＯＳＤ表示信号が合成された画像信号に基づく画像データに応じた画像を表示する。
【００４８】
リモコン受信部１７は、例えばリモコン２１から送信された各種赤外線信号（制御コマンド）を受信し、それら各種信号に基づく各種データをマイコン１８へ出力する。
【００４９】
リモコン２１は、例えばユーザによって操作され、その操作に応じた赤外線信号をリモコン受信部１７へ送信する。
【００５０】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいてチャンネルの切換え、音量のアップ／ダウン等を制御する。
【００５１】
ＣＰＵ１８ａは、ＲＯＭ１８ｃに記憶された液晶テレビジョン装置１０用の各種処理プログラムに従って、各種の制御動作を行う。
【００５２】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００５３】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００５４】
電源回路１９は、例えば部分共振電源回路であり、商用ＡＣ電源を複数種類の所定の電圧に変換して液晶テレビジョン装置１０の各部へ動作電源電圧を出力する。
【００５５】
（２）リモコンの具体的な構成
図２および図３は、リモコン２１をより具体的に説明する概略構成図であって、図２は外観の概略を示す図であり、図３は内部の概略構成を示す図である。
【００５６】
図２において、リモコン２１は、選局するチャンネルを直接的に指定する際に操作される各チャンネルキー２１ａ、選局するチャンネルを指定する際に操作されるチャンネルアップ／ダウンキー２１ｂ、テレビジョンの音量を増減する際に操作されるボリュームアップ／ダウンキー２１ｃなどの各種キーを有している。
【００５７】
図３において、リモコン２１は、赤外線信号を送信するためのリモコン２１の光源として赤外線を射出する発光素子である例えば赤外ＬＥＤ２１ｄを１つのみ備えている。また、赤外ＬＥＤ２１ｄから射出された赤外線を反射してその赤外線の進行方向を変化させる２つの反射鏡２１ｅ、２１ｆを備えている。
【００５８】
反射鏡２１ｅ、２１ｆは、例えば上記赤外線の進行方向に対してそれぞれ直交した異なる回転軸に沿って配置される両面平面鏡である。反射鏡２１ｅは、リモコン２１の厚み方向に平行な回転軸２１ｅ１を有し、その回転軸２１ｅ１が例えば小型のステッピングモータ２１ｅ２により回転駆動させられることにより反射鏡２１ｅ自体の角度が変化させられ、上記赤外線をリモコン２１の幅方向に異なった角度となる複数の方向へ反射する。また、反射鏡２１ｆは、リモコン２１の幅方向に平行な回転軸２１ｆ１を有し、その回転軸２１ｆ１が例えば小型のステッピングモータ２１ｆ２により回転駆動させられることにより反射鏡２１ｆ自体の角度が変化させられ、上記赤外線をリモコン２１の厚み方向に異なった角度となる複数の方向へ反射する。このように、反射鏡２１ｅ、２１ｆ、回転軸２１ｅ１、２１ｆ１、およびステッピングモータ２１ｅ２、２１ｆ２は、赤外ＬＥＤ２１ｄから射出された赤外線の進行方向を変化させる角度調節機構として機能する。
【００５９】
このように構成されたリモコン２１において、１度のキー操作に伴って赤外ＬＥＤ２１ｄから赤外線を複数回射出させる。そして、その赤外線が射出される都度、反射鏡２１ｅ、２１ｆ自体を所定の角度となるように変化させる。そうすると、赤外ＬＥＤ２１ｄから射出された複数の赤外線は、先ず反射鏡２１ｅによりリモコン２１の幅方向に異なった角度となる複数の方向へ進行させられ、次いで反射鏡２１ｆによりリモコン２１の厚み方向に異なった角度となる複数の方向へ進行させられる。これにより、リモコン２１からは１度のキー操作で、例えば図２（ａ）、図３（ａ）の矢印Ａに示すようにリモコン２１の幅方向に異なった角度となる複数の方向へ、および例えば図２（ｂ）、図３（ｂ）の矢印Ｂに示すようにリモコン２１の厚み方向に異なった角度となる複数の方向へ赤外線信号が送信される。こうすることで、リモコン２１とリモコン受信部１７との間に障害物等がある場合でも、周辺の壁や家具等から反射される赤外線信号を利用して正しく受信できる可能性が高くなる。
【００６０】
ところで、上述したように１度のキー操作でリモコン２１から複数の方向へ赤外線信号を送信する為には、１度のキー操作で赤外ＬＥＤ２１ｄから赤外線を複数回射出させる必要があることから、マイコン１８による処理を含むリモコン受信部１７側では１度の単発キー操作に対して複数回のキー操作が行われたと認識されたり、或いは１度の連続キー操作に対して連続キー操作が有効にならない等の不具合が生じることが考えられる。
【００６１】
そこで、リモコン２１から送信される赤外線信号には、１度のキー操作が単発キー操作か連続キー操作かを区別するための信号を含むように構成される。
【００６２】
具体的には、図４は、１度の単発キー操作時に送信される入力回数誤認識回避のためのパルス波形の一例を示した図である。例えば、図４の赤外線信号Ａ、Ｂに示すように、１度の単発キー操作の場合には実際のデータ部分としてのデータパルスの前に単発キー操作を示す数bit分のパルス（以下、ヘッドパルスという）を赤外線信号に設ける。リモコン受信部１７側ではこの単発キー操作を示すヘッドパルスが同じであれば複数回受信しても１度の単発キー操作によるデータとして受け取る。また、例えば赤外線信号が信号Ａから信号Ｂとなったことに伴って単発キー操作を示すヘッドパルスが変化したときには、その信号Ｂを新たな１度の単発キー操作によるデータとして受け取る。これにより、１度の単発キー操作に対して複数回のキー操作が行われたと認識されることが回避される。
【００６３】
また、図５は、１度の連続キー操作時に送信されるパルス波形の一例を示した図である。例えば、図５に示すように、１度の連続キー操作の場合にはヘッドパルスとして連続キー操作を示すパルスを赤外線信号に設け、（ａ）に示すようにヘッドパルスに続いて同じデータパルスを繰り返し送信したり、或いは（ｂ）に示すようにヘッドパルスに続いて１つのデータパルスを入れ、更にそのデータパルスに続いて連続キー操作を示すパルスを繰り返し送信する。リモコン受信部１７側ではこのような連続キー操作を示すパルスを受信したときには１度の連続キー操作によるデータとして受け取る。これにより、１度の連続キー操作に対して連続キー操作が有効にならない不具合が生じることが回避される。尚、この連続キー操作のときには、データが途切れることを避けるために反射鏡２１ｅ、２１ｆの角度を変化させないようにしても良い。
【００６４】
尚、リモコン２１には、上述したような単発操作か連続操作かを区別するための信号を含んだ赤外線信号を送信する機能を有する例えばリモコン内蔵マイコン２２が搭載され、リモコン受信部１７側ではそれらの赤外線信号を認識する機能を有する。これにより、１度のキー操作で赤外ＬＥＤ２１ｄから赤外線を複数回射出させた場合であっても単発キー操作或いは連続キー操作と認識することが可能になる。
【００６５】
（３）赤外線の進行方向を変化させる他の方法
図６の（ａ）に示すように、リモコン２１は、２つの反射鏡２１ｅ、２１ｆ等の角度調節機構を備えることに替えて、赤外ＬＥＤ２１ｄ自体の角度を例えば小型のステッピングモータ２１ｄ１、２１ｄ２により変化させる角度調節機構にて赤外ＬＥＤ２１ｄから射出される赤外線の進行方向を変化させても良い。或いは、図６の（ｂ）に示すように、リモコン２１は、２つの反射鏡２１ｅ、２１ｆ等の角度調節機構に替えてミラーパイプ２１ｇやそのミラーパイプ２１ｇの角度を変化させる例えば小型のステッピングモータ２１ｇ１、２１ｇ２等の角度調節機構を備え、そのミラーパイプ２１ｇの角度をその小型のステッピングモータ２１ｇ１、２１ｇ２により変化させて赤外ＬＥＤ２１ｄから射出される赤外線の進行方向を変化させても良い。これにより、２つの反射鏡２１ｅ、２１ｆ等を備えることと同様に、リモコン２１からは１度のキー操作で複数の方向へ赤外線信号が送信される。
【００６６】
また、図６の（ｃ）に示すように、リモコン２１は、赤外ＬＥＤ２１ｄと反射鏡２１ｅとの間に赤外ＬＥＤ２１ｄから射出される赤外線を集束するための凸レンズ２１ｈと、反射鏡２１ｆにより反射された赤外線を拡散するための凹レンズ２１ｉとを更に備えても良い。これにより、リモコン２１からは１度のキー操作でより広範囲の複数の方向へより強い赤外線信号が送信されるので、赤外線信号を正しく受信できる可能性がより高くなる。
【００６７】
（４）まとめ
上述のように、本実施例によれば、リモコン２１からは１度のキー操作で複数の方向へ赤外線信号が送信されるので、リモコン２１とリモコン受信部１７との間に障害物等がある場合であっても、周辺の壁や家具等から反射された赤外線信号がリモコン受信部１７に入る可能性が高くなり、リモコン２１に赤外ＬＥＤ２１ｄを複数個備えることなくユーザが送信方向を手動で変化させる煩わしさが解消される。
【００６８】
また、本実施例によれば、２つの反射鏡２１ｅ、２１ｆを備えることで、或いは赤外ＬＥＤ２１ｄ自体の角度を変化させることで、或いはミラーパイプ２１ｇを備えることで、赤外ＬＥＤ２１ｄから射出される赤外線の進行方向を変化させるので、１度のキー操作で複数の方向へ赤外線信号を簡単に送信することができる。
【００６９】
また、本実施例によれば、リモコン２１から送信される赤外線信号には、１度のキー操作が単発キー操作か連続キー操作かを区別するための信号を含むように構成されるので、１度のキー操作で赤外ＬＥＤ２１ｄから赤外線を複数回射出させた場合に、リモコン受信部１７側において１度の単発キー操作に対して複数回のキー操作が行われたと認識されることが容易に回避されたり、或いは、１度の連続キー操作に対して連続キー操作が有効にならない不具合が生じることが容易に回避される。
【００７０】
また、本実施例によれば、リモコン２１が、赤外ＬＥＤ２１ｄと反射鏡２１ｅとの間に赤外ＬＥＤ２１ｄから射出される赤外線を集束するための凸レンズ２１ｈと、反射鏡２１ｆにより反射された赤外線を拡散するための凹レンズ２１ｉとを更に備えるように構成されれば、リモコン２１からは１度のキー操作でより広範囲の複数の方向へより強い赤外線信号が送信される。よって、赤外線信号を正しく受信できる可能性がより高くなる。
【００７１】
以上、本発明の実施例を図面に基づいて詳細に説明したが、本発明はその他の態様においても適用される。
【００７２】
例えば、前述の実施例では、反射鏡２１ｅ、２１ｆは、それぞれ別のステッピングモータにより回転駆動させられたが、機械的に連結させて１つのステッピングモータにより回転駆動させても良い。
【００７３】
なお、上述したのはあくまでも一実施形態であり、本発明は当業者の知識に基づいて種々の変更、改良を加えた態様で実施することができる。
【図面の簡単な説明】
【００７４】
【図１】本発明が適用される液晶テレビジョン装置の構成を説明するブロック図である。
【図２】リモコンをより具体的に説明する概略構成図であって、リモコンの外観を示す図である。
【図３】リモコンをより具体的に説明する概略構成図であって、リモコンの内部を示す図である。
【図４】１度の単発キー操作時に送信される入力回数誤認識回避のためのパルス波形の一例を示した図である。
【図５】１度の連続キー操作時に送信されるパルス波形の一例を示した図である。
【図６】赤外線の進行方向を変化させる他の方法を説明する概略図である。
【符号の説明】
【００７５】
１０：液晶テレビジョン装置（電気機器）
１７：リモコン受信部
２１：リモコン
２１ａ：各チャンネルキー（各種キー）
２１ｂ：チャンネルアップ／ダウンキー（各種キー）
２１ｃ：ボリュームアップ／ダウンキー（各種キー）
２１ｄ：赤外ＬＥＤ（発光素子）
２１ｅ、２１ｆ：反射鏡（角度調節機構）
２１ｅ１、２１ｆ１：回転軸（角度調節機構）
２１ｅ２、２１ｆ２：ステッピングモータ（角度調節機構）
【図１】
2008258751.tif 000003
【図２】
2008258751.tif 000004
【図３】
2008258751.tif 000005
【図４】
2008258751.tif 000006
【図５】
2008258751.tif 000007
【図６】
2008258751.tif 000008